(57)【要約】      （修正有）【課題】当接面と載置部との間に凝縮エキスが入り込むことにより、気密性が高まり、温度が上昇し、蒸気が凝縮面で凝縮し難くなることを防止する蒸留器を提供する。【解決手段】蒸気を発生又は導入させる内部スペース１ａが形成され且つ上方に開口した開口部２ａを有する容器２と、開口部２ａを上方から閉塞するように構成され且つ該閉塞時に内部スペース１ａと開口部２ａを介して対向するドーム状の凝縮面を有する上蓋３と、凝縮面で凝縮されて流下してくる凝縮エキスを収集する収集部８とを備え、開口部２ａの周縁側には環状の載置部１１が形成され、上蓋３の下端側には、載置部１１の環状の周方向に沿うように底面視で環状に成形され且つ該載置部１１に当接状態で載置される当接面１６が形成され、当接面１６は、自身の環状中心側に向かって下方に傾斜され、上蓋３の当接面１６における載置部１１との接当箇所よりも内側に位置する端部側には、下方に突出した内側規制部１２ａが一体的に形成された。【選択図】図１
0003211577.tif 000002
【実用新案登録請求の範囲】
【請求項１】
対象物中の成分が含有された蒸気を凝縮させることにより、該成分が含まれた凝縮エキスを抽出する蒸留器であって、
上記蒸気を発生又は導入させる内部スペースが形成され且つ上方に開口した開口部を有する容器と、
前記開口部を上方から閉塞するように構成され且つ該閉塞時に上記内部スペースと前記開口部を介して対向するドーム状の凝縮面を有する上蓋と、
前記凝縮面で凝縮されて流下してくる凝縮エキスを収集する収集部とを備え、
前記容器における前記開口部の周縁側には環状の載置部が形成され、
前記上蓋の下端側には、前記載置部の環状の周方向に沿うように底面視で環状に成形され且つ該載置部に当接状態で載置される当接面が形成され、
前記当接面は、自身の環状中心側に向かって下方に傾斜され、
前記上蓋の当接面における載置部との接当箇所よりも内側に位置する端部側には、下方に突出した内側規制部が一体的に形成された
ことを特徴とする蒸留器。
【請求項２】
前記内側規制部は、上記当接面の周方向に沿って環状に成形され、その内周面が上記凝縮面の下端部を構成している
請求項１に記載の蒸留器。
【請求項３】
前記当接面の傾斜は断面視で直線状に成形された
請求項１又は２の何れかに記載の蒸留器。
【請求項４】
前記上蓋の当接面における載置部との接当箇所よりも外側側に位置する端部側には、下方に突出した外側規制部が一体的に形成された
請求項１乃至３の何れかに記載の蒸留器。
【請求項５】
前記上蓋は、上下方向に形成された筒状部と、該筒状部の内部に配置されたドーム部とを一体的に有し、
前記凝縮面が前記ドーム部の内面によって構成され、
筒状部の内周面と、ドーム部の外面との間に冷却水又は氷を収容する収容スペースが形成され、
前記筒状部の平断面視で環状をなす下端部が前記外側規制部になる
請求項４に記載に蒸留器。
【請求項６】
前記収集部は上記容器に形成された収集溝であり、
該収集溝は、前記凝縮面の下端の直下に配置され且つ前記当接面の周方向に沿って環状に形成された
請求項１乃至５の何れかに記載の蒸留器。
【請求項７】
前記容器は有底筒状に形成され、
該容器の下端部にはフランジ部が一体的形成され、
該容器の底部は、前記フランジ部と一体的に形成され且つ上記蒸気又は水蒸気を内部に導入させる導入孔を一又は複数有する
請求項１乃至６の何れかに記載の蒸留器。
【請求項８】
互いが当接している状態の前記載置部及び前記当接面の間には、上記内部スペースの蒸気を外部に排気する排気部が一又は複数形成された
請求項１乃至７の何れかに記載の蒸留器。
【考案の詳細な説明】
【技術分野】
【０００１】
本考案は、対象物中の成分が含有された蒸気を凝縮させることにより、該成分が含まれた凝縮エキスを抽出する蒸留器に関する。
【背景技術】
【０００２】
対象物中の成分が含有された蒸気を凝縮させることにより、該成分が含まれた凝縮エキスを抽出する蒸留器であって、上記蒸気を発生又は導入させる内部スペースが形成され且つ上方に開口した開口部を有する容器と、前記開口部を上方から閉塞するように構成され且つ該閉塞時に上記内部スペースと前記開口部を介して対向するドーム状の凝縮面を有する上蓋と、前記凝縮面で凝縮されて流下してくる凝縮エキスを収集する収集部とを備え、前記容器における前記開口部の周縁側には環状の載置部が形成され、前記上蓋の下端側には、前記載置部の環状の周方向に沿うように底面視で環状に成形され且つ該載置部に当接状態で載置される当接面が形成された蒸留器が公知である。
【０００３】
該構成の蒸留器は、当接面と載置部との接当によって、外部に流出する蒸気の量を減少させ、効率的に凝縮エキスを収集できるというメリットがある一方で、当接面と載置部との間に凝縮エキスが入り込むことにより、気密性が過度に高まり、温度が上昇し、蒸気が凝縮面で凝縮し難くなるという問題がある。
【０００４】
このような問題の改善を目指したものとして、前記当接面を自身の環状中心側に向かって下方に傾斜された蒸留器が公知になっている（例えば、特許文献１を参照）。
【０００５】
上記文献の蒸留器によれば、当接面の傾斜によって、当接面と載置部との間に凝縮エキスが介在することがある程度抑制される一方で、表面張力の関係で、ある程度の凝縮エキスは当接面と載置部との間に流入するため、さらなる対策が必要である。
【先行技術文献】
【特許文献】
【０００６】
【特許文献１】実用新案登録第３１２２５８２号公報（図２）
【考案の概要】
【考案が解決しようとする課題】
【０００７】
本考案は、対象物中の成分が含有された蒸気を導入又は発生させる内部スペースを有する容器と、容器の開口部を閉塞し且つ内部スペースと開口部を介して対向する凝縮面が内側に形成された上蓋と、凝縮面で凝縮されて流下してくる凝縮エキスを収集する収集部とを備え、容器の載置部と上蓋の当接面とを環状に当接させる蒸留器であって、凝縮面で凝縮された凝縮エキスが当接面と載置部との間に流動することがより効率的に防止される蒸留器を提供することを課題とする。
【課題を解決するための手段】
【０００８】
上記課題を解決するため、対象物中の成分が含有された蒸気を凝縮させることにより、該成分が含まれた凝縮エキスを抽出する蒸留器であって、上記蒸気を発生又は導入させる内部スペースが形成され且つ上方に開口した開口部を有する容器と、前記開口部を上方から閉塞するように構成され且つ該閉塞時に上記内部スペースと前記開口部を介して対向するドーム状の凝縮面を有する上蓋と、前記凝縮面で凝縮されて流下してくる凝縮エキスを収集する収集部とを備え、前記容器における前記開口部の周縁側には環状の載置部が形成され、前記上蓋の下端側には、前記載置部の環状の周方向に沿うように底面視で環状に成形され且つ該載置部に当接状態で載置される当接面が形成され、前記当接面は、自身の環状中心側に向かって下方に傾斜され、前記上蓋の当接面における載置部との接当箇所よりも内側に位置する端部側には、下方に突出した内側規制部が一体的に形成されたことを特徴とする。
【０００９】
前記内側規制部は、上記当接面の周方向に沿って環状に成形され、その内周面が上記凝縮面の下端部を構成しているものとしてもよい。
【００１０】
前記当接面の傾斜は断面視で直線状に成形されたものとしてもよい。
【００１１】
前記上蓋の当接面における載置部との接当箇所よりも外側側に位置する端部側には、下方に突出した外側規制部が一体的に形成されたものとしてもよい。
【００１２】
前記上蓋は、上下方向に形成された筒状部と、該筒状部の内部に配置されたドーム部とを一体的に有し、前記凝縮面が前記ドーム部の内面によって構成され、筒状部の内周面と、ドーム部の外面との間に冷却水又は氷を収容する収容スペースが形成され、前記筒状部の平断面視で環状をなす下端部が前記外側規制部になるものとしてもよい。
【００１３】
前記収集部は上記容器に形成された収集溝であり、該収集溝は、前記凝縮面の下端の直下に配置され且つ前記当接面の周方向に沿って環状に形成されたものとしてもよい。
【００１４】
前記容器は有底筒状に形成され、該容器の下端部にはフランジ部が一体的形成され、該容器の底部は、前記フランジ部と一体的に形成され且つ上記蒸気又は水蒸気を内部に導入させる導入孔を一又は複数有するものとしてもよい。
【００１５】
互いが当接している状態の前記載置部及び前記当接面の間には、上記内部スペースの蒸気を外部に排気する排気部が一又は複数形成されたものとしてもよい。
【考案の効果】
【００１６】
上蓋の当接面における載置部との接当箇所よりも内側に位置する端部側に一体的に形成され且つ下方に突出した内側規制部と、該当接面の傾斜とによって、凝縮面で凝縮された凝縮エキスが接当面と載置部との間に流動することがより効率的に防止される。
【図面の簡単な説明】
【００１７】
【図１】本考案を適用した蒸留器の構造を示す側断面図である。
【図２】容器の平面図である。
【図３】上蓋の平面図である。
【図４】図１の要部拡大図である。
【図５】本考案の別実施形態に係る要部拡大断面図である。
【考案を実施するための形態】
【００１８】
図１は本考案を適用した蒸留器の構造を示す側断面図であり、図２は容器の平面図であり、図３は上蓋の平面図であり、図４は図１の要部拡大図である。図１乃至図４に示す蒸留器１は、上方に開口部２ａを有する容器２と、該容器２の開口部２ａを閉塞する上蓋３とを備えている。
【００１９】
上記容器２は陶磁器である。この容器２は、内部に植物等の対象物Ｐ中の成分が含有された蒸気を発生させる蒸気室（内部スペース）１ａを有するように上下方向に延びる円筒状に成形された有底の筒状部４と、該筒状部４の底部６と一体で形成され且つ該筒状部４の外周面下端側から径方向外側に延出されたフランジ部７と、前記筒状部４の開口部２ａ側の内周面側に周方向全体に亘り形成された平面視で円形環状をなす収集溝（収集部）８とを有している。
【００２０】
底部６には一又は複数（図示する例では複数）の導入孔６ａが穿設されている。この導入孔６ａは、大小サイズの異なる複数の種類の孔であり、図示する例では、大きなサイズの導入孔６ａと、小さいサイズの導入孔６ａとがそれぞれ複数形成されている。
【００２１】
フランジ部７の外形は平面視で円形に形成されている。この一体形成された底部６及びフランジ部７を、鍋等の供給容器Ｂの開口した環状の上端縁に載置することにより、容器１が供給容器Ｂの上方に設置される。この設置の際、フランジ部６によって、サイズが大きい供給容器Ｂの上方にも前記容器１を設置可能になる。
【００２２】
供給容器Ｂ内の水Ｗを加熱して沸騰させることにより発生した水蒸気は、導入孔６ａを介して容器２の蒸気室１ａに供給される。
【００２３】
収集溝８は、筒状部４の内周面の開口部２ａ側から径方向内側に向かって斜め上方に一体的に突出形成され且つ平断面形状が筒状部４と同一の中心を有する円形の環状をなす収集側壁部９の外周面と、該筒状部４の内周面とによって形成されている。図示する例では、この環状の収集側壁部９の上端は、筒状部４の上端よりも低い位置に形成されているが、これを高い位置に形成してもよい。
【００２４】
筒状部４の周壁は、その上部以外の部分の肉厚が均等又は略均等に形成される一方で、該上部は上方に向かって次第に肉厚が薄くなるように形成されている。そして、筒状部４の肉厚が最薄となる上端は、平面視で円形環状のなす載置部１１を構成している。
【００２５】
ちなみに、この載置部１１には、周方向に所定間隔毎（本例では、等間隔毎、さらに具体的には１／４周毎）に万遍無く切欠き状の排気部１１ａが形成されている。
【００２６】
上記上蓋３は、陶磁器である。この上蓋３は、平断面視で円形リング状をなし且つ中心側に向かって上方に盛上ったドーム部１２と、該ドーム部１２の最大径を有する下端側からこのドーム部１２の四方を囲繞するように上方に突出形成された円筒状の筒状部１３とを一体形成することによって構成されている。
【００２７】
ドーム部１２の内面の全体には、開口部２ａを介して容器２の内部スペース１ａと対向する凝縮面１４が形成され、ドーム部１２内は、蒸気室１ａから開口部２ａを介して上昇してくる前記蒸気を凝縮させる凝縮室１ｂになる。
【００２８】
筒状部１３は、上方が開放されている。この筒状部の内周面と、ドーム部１２の外周面との間には、冷却水Ｃ又は氷を収容する収容スペース１ｃが形成されている。この収容スペース１ｃ内の冷却水Ｃによって凝縮面１４を冷却することにより、前記蒸気の凝縮を促進させる。
【００２９】
ちなみに、上蓋３が容器２の上方に設置された状態において、この上蓋３のドーム部１２及び筒状部１３と、容器２の筒状部４とが同一軸心となる。
【００３０】
続いて上蓋３を容器２の上方に設置させる構造について詳述すると、この上蓋３の下端側且つ外周縁側には、上述の環状の載置部１１に全周又は略全周に亘って当接するように底面視で載置部と同一中心となる円形環状に形成された当接面１６が一体形成されている。すなわち、この当接面１６は、その全長方向が上蓋３の周方向に形成され、その幅方向が上蓋３の径方向に設定されている。
【００３１】
当接面１６は、自身の円形状の中心側（内側）に向かって下方に傾斜している。詳しく説明すると、当接面１６は、下方に向かって径が縮小する円錐台状に形成されている。言換えると、当接面１６の傾斜は断面視で直線状に形成され、凹状や凸状に湾曲又は屈曲形成されていない。
【００３２】
この当接面１６の幅方向中途部が載置部１１との当接箇所になる。当接面１６の幅方向における当接箇所よりも内側に位置する端側に下方に突出する内側規制部１２ａが一体的に形成されるとともに、外側に位置する端側にも下方に突出する外側規制部１３ａが一体的に形成されている。
【００３３】
内側規制部１２ａは、底面視で当接面１６の全周に沿う円形環状に成形され、ドーム部１２の下端部を構成している。この内側規制部１２ａの内周面は上述の凝縮面１４の下端部を構成し、外周面は鉛直方向に形成されている。該内側規制部１２ａの肉厚は、ドーム部１２のその他の部分の肉厚よりも薄く形成されている。
【００３４】
ちなみに、上述した収集溝８は、この内側規制部１２ａの下端（凝結面１４の下端）の直下に配置形成されている。
【００３５】
外側規制部１３ａは、筒状部１３の平断面視で円形環状の下端部を、当接面１６の幅方向外側端よりも下方に延出させることによって構成されている。言換えると、外側規制部１３ａは、筒状部１３の下端部を構成している。この外側規制部１３ａの内周面及び外周面は、鉛直方向に立上っている。
【００３６】
次に、図１乃至図４に基づき、本蒸留器１を用いた蒸留方法について説明する。
【００３７】
所定量の水Ｗが貯められた供給容器Ｂの上方に容器２をセットし、容器２の底部６の上面（底面）に植物等の対象物Ｐを所定量配置し、この容器２の開口部２ａを閉塞するようにして、該容器２の上方に上蓋３を設置する。
【００３８】
続いて、供給容器Ｂを加熱して水を沸騰させて発生した水蒸気は、複数の導入孔６ａから蒸気室１ａに導入される。蒸気室１ａの水蒸気は、底部６に載置された対象物Ｐを通過する過程で、該対象物Ｐの成分が含んだ蒸気になる。この蒸気は開口部２ａを通過して凝縮室１ｂに上昇する。
【００３９】
凝縮室１ｂに導入された蒸気は、凝縮面１４に接触して凝縮されて対象物Ｐの成分を含んだ凝縮エキスＥになる。この凝結の際には、収容スペース１ｃに収容された冷却水Ｃ又は氷によって凝縮面１４が冷却されるため、蒸気が効率的に液化される。このようにして液化された凝縮エキスＥは凝結面１４に沿って流下し、収集溝８に収集される。
【００４０】
この凝縮エキスＥの収集溝８への収集の際、内側規制部１２ａによって、当接面１６側への流動は規制される。また、当接面１６に流動した少量の凝結エキスＥも、該当接面１６の上記傾斜によって、当接面１６の幅方向外側への流動が規制される。当接面１６と載置部１１との間の隙間を凝縮エキスＥがシールすると、凝縮室１ｂ及び蒸気室１ａの圧力及び温度が上昇し、凝縮面１４で蒸気が凝縮され難くなり、凝縮エキスEの回収効率が低下するが、上記規制によって、この回収効率の低下が防止される。
【００４１】
また、容器２の上側に上蓋３を設置し、当接面１６と載置部１１と当接させて状態では、当接面１６と載置部１１の間に上述の排気部１１ａが位置し、内部スペース１ｂ内の蒸気は、この排気部１１ａから外部に排気される。この排気部１１ａの排気作用によって、蒸気により蒸気室１ａ及び凝縮室１ｂが所定以上の圧力に上昇することが防止される。
【００４２】
さらに、収容スペース１ｃ内の冷却水Ｃによって、筒状部１３の外周面が結露し、該外周面に水滴が付着する。この水滴は、自重により、筒状部１３の外周面に沿って流下する。この流下してくる水滴が、仮に当接面１６側に流動した場合、上述した傾斜に沿って、該当接面１６に沿って内側に流下し、当接面１６と載置部１１との間の隙間又は排気部１１ａを通過して収集溝８に流入し、凝縮エキスＥ中に含まれる対象物Ｐの成分濃度を低下させ、該凝縮エキスＥの品質を低下させる。しかし、筒状部１３の外面での結露により生じた水滴の当接面１６側への流動は、上述した外側規制部１３ａによって規制されるため、凝縮エキスＥの品質低下も防止される。
【００４３】
ちなみに、収集溝８内の凝縮エキスＥは、該収集溝８の底側から径方向外側に穿設された回収孔４ａから回収されるか、或いは該回収孔４ａに挿通された回収パイプ１７によって回収される。
【００４４】
また、収容スペース１ｃ内の冷却水Ｃの水温が上昇した場合には、新たに低温の冷却水Ｃを収容スペース１ｃに注水する。この際、温度が上昇した古い冷却水Ｃは、筒状部１３の上部に内周面から外周面に至るように穿設された排水孔１３ｂ、或いは排水孔１３ｂに挿通される排水パイプ１８から排水される。
【００４５】
以上のように構成される蒸留器１によれば、水蒸気蒸留によって、質の高い凝縮エキスＥを効率的に収集することが可能になる。
【００４６】
なお、図１に仮想線で示す通り、供給容器Ｂ内の水と共に対象物Ｐを入れ、この水を沸騰させることにより、該供給容器Ｂ側で対象物Ｐ中の成分が含有された蒸気を発生させ、この蒸気を導入孔６ａを介して蒸気室１ａに導入してもよい。
【００４７】
また、排気部１１ａは、図示する例では、複数設けているが、その数を１つとしてもよい。この他、この切欠き状の排気部１１ａは、収集側壁部９の上部から収集溝８を経て筒状部４の上部（載置部１１）に至る切欠き溝状に形成してもよい。
【００４８】
次に、図５に基づき、本考案の別実施形態について上述の形態と異なる点を説明する。
【００４９】
図５は、本考案の別実施形態に係る要部拡大断面図である。上述の形態では、外側規制部１３ａの下端よりも高い位置に、内側規制部１２ａの下端を形成していたが、図５に示す形態では、外側規制部１３ａの下端よりも低い位置まで、内側規制部１２ａを下方に延出している。
【符号の説明】
【００５０】
１  蒸留器
１ａ  蒸気室（内部スペース）
１ｂ  凝縮室
１ｃ  収容スペース
２  容器
２ａ  開口部
３  上蓋
４  筒状部
４ａ  回収孔
６  底部
６ａ  導入孔
７  フランジ部
８  収集溝（収集部）
９  収集側壁部
１１  載置部
１１ａ  排気部
１２  ドーム部
１２ａ  内側規制部
１３  筒状部
１３ａ  外側規制部
１３ｂ  排水孔
１４  凝縮部
１６  当接面
１７  回収パイプ
１８  排水パイプ
Ｂ  供給容器
Ｃ  冷却水
Ｅ  凝縮エキス
Ｐ  対象物（植物）
Ｗ  水
【図１】
0003211577.tif 000003
【図２】
0003211577.tif 000004
【図３】
0003211577.tif 000005
【図４】
0003211577.tif 000006
【図５】
0003211577.tif 000007